(57)【要約】【課題】タブ群とケース本体を絶縁できる蓄電装置を提供すること。【解決手段】二次電池１０が備える絶縁シート４３は、電極組立体１２のタブ側端面１２ａよりも蓋２３側に突出した部分に突出部４４を備える。突出部４４におけるタブ側端面１２ａからの突出方向の先端４３ｆは、正極導電部材３２及び負極導電部材４２の第２接合面３２ｂ，４２ｂよりも蓋２３側に位置し、かつ蓋２３の内面２３ｃから離間している。ケース本体１３と蓋２３の溶接部２２の溶込方向Ｙは蓋２３の板厚方向であり、溶接部２２の一部が蓋２３の外面２３ｅに露出している。【選択図】図２
2018200840.tif 000002
【特許請求の範囲】
【請求項１】
正極と負極の電極が絶縁された状態で交互に積層され、かつ前記電極の一辺の一部から突出した形状のタブが同じ極性同士で積層方向に寄せ集められたタブ群を有する電極組立体と、
前記電極組立体を収容し、開口部を有する金属製のケース本体、及び前記開口部を囲む端面に接合され、前記開口部を閉塞した金属平板製の蓋を有するケースと、
前記ケース本体の前記端面と、前記蓋において前記端面と対向する合わせ面との合わせ部を接合した溶接部と、
前記蓋の内面と前記タブ群が存在する前記電極組立体のタブ側端面との間に配置され、前記タブ群と接合された導電部材と、
前記電極組立体と前記ケース本体を絶縁する絶縁シートと、を備え、
前記絶縁シートは、前記タブ側端面から前記蓋側に突出し、かつ前記タブ群と前記ケース本体の間に介在する部分に突出部を備え、
前記突出部における前記タブ側端面からの突出方向の先端は、前記導電部材における前記タブ群との接合面よりも前記蓋側に位置し、かつ前記蓋の内面から離間しており、
前記溶接部の溶込方向は前記蓋の板厚方向であり、前記溶接部の一部が前記蓋の板厚方向における外面のみに露出していることを特徴とする蓄電装置。
【請求項２】
前記タブ群は、前記積層方向の一端側から他端側に向けて屈曲されるとともに、前記タブの突出方向の先端側に、前記積層方向の他端側から一端側に向けて屈曲された先端側屈曲部を備え、前記先端側屈曲部と前記ケース本体の間に前記突出部が介在する請求項１に記載の蓄電装置。
【請求項３】
前記蓋は、前記合わせ面を有する天板部と、前記天板部から前記電極組立体に向けて突出し、前記ケース本体内に挿入された挿入部とを有する請求項１又は請求項２に記載の蓄電装置。
【請求項４】
前記正極の電極と前記負極の電極はセパレータによって絶縁され、前記絶縁シートは、前記セパレータよりも融点の高い材料で形成されている請求項１〜請求項３のうちいずれか一項に記載の蓄電装置。
【請求項５】
前記蓄電装置は二次電池である請求項１〜請求項４のうちいずれか一項に記載の蓄電装置。
【発明の詳細な説明】
【技術分野】
【０００１】
本発明は、電極組立体とケース本体を絶縁する絶縁シートを備える蓄電装置に関する。
【背景技術】
【０００２】
二次電池は再充電が可能であり、繰り返し使用することができるため電源として広く利用されている。一般に、二次電池はケースを備え、そのケース内に電極組立体及び電解液が収容されている。電極組立体は、正極電極、負極電極、及び正極電極と負極電極とを絶縁するセパレータを有し、正極電極と負極電極との間にセパレータを介在した積層構造になっている。
【０００３】
また、二次電池において、正極電極は、金属箔製の正極タブを有し、負極電極は、金属箔製の負極タブを有する。複数枚の正極タブは重ねてタブ群とした状態で正極導電部材と電気的に接続され、その正極導電部材には正極の電極端子が接続されている。同様に、複数枚の負極タブは重ねてタブ群とした状態で負極導電部材と電気的に接続され、その負極導電部材には負極の電極端子が接続されている。
【０００４】
二次電池のケースは、ケース本体と、ケース本体の開口部を閉塞する蓋と、を備え、ケース本体と蓋とは接合されている。一般に、二次電池のケースには耐久性に優れるアルミニウム等の金属製ケースが多用されている。そして、金属製のケースと電極組立体を絶縁するため、電極組立体とケース本体の間には絶縁シートが配置されている。絶縁シートは、電極組立体の活物質層だけでなくタブ群の位置まで配置され、タブ群の最外層とケース本体を絶縁する（例えば、特許文献１参照）。
【先行技術文献】
【特許文献】
【０００５】
【特許文献１】ＷＯ２０１４／００２６４７号公報
【発明の概要】
【発明が解決しようとする課題】
【０００６】
ところで、特許文献１のように、絶縁シートによってタブ群とケース本体を絶縁する構成においてケース本体と蓋の溶接時に、絶縁シートが溶融してしまい、タブ群とケース本体を絶縁できなくなる虞がある。
【０００７】
本発明の目的は、タブ群とケース本体を絶縁できる蓄電装置を提供することにある。
【課題を解決するための手段】
【０００８】
上記問題点を解決するための蓄電装置は、正極と負極の電極が絶縁された状態で交互に積層され、かつ前記電極の一辺の一部から突出した形状のタブが同じ極性同士で積層方向に寄せ集められたタブ群を有する電極組立体と、前記電極組立体を収容し、開口部を有する金属製のケース本体、及び前記開口部を囲む端面に接合され、前記開口部を閉塞した金属平板製の蓋を有するケースと、前記ケース本体の前記端面と、前記蓋において前記端面と対向する合わせ面との合わせ部を接合した溶接部と、前記蓋の内面と前記タブ群が存在する前記電極組立体のタブ側端面との間に配置され、前記タブ群と接合された導電部材と、前記電極組立体と前記ケース本体を絶縁する絶縁シートと、を備え、前記絶縁シートは、前記タブ側端面から前記蓋側に突出し、かつ前記タブ群と前記ケース本体の間に介在する部分に突出部を備え、前記突出部における前記タブ側端面からの突出方向の先端は、前記導電部材における前記タブ群との接合面よりも前記蓋側に位置し、かつ前記蓋の内面から離間しており、前記溶接部の溶込方向は前記蓋の板厚方向であり、前記溶接部の一部が前記蓋の板厚方向における外面のみに露出していることを要旨とする。
【０００９】
これによれば、タブ群は、タブ側端面と導電部材の接合面の間に存在する。そして、突出部は、タブ側端面から突出し、突出部の先端は導電部材の接合面よりも蓋側にある。このため、タブ群を絶縁シートの突出部によってケース本体から絶縁できる。
【００１０】
このような突出部において、その先端が蓋の内面に近すぎると、ケース本体と蓋の溶接の仕方によっては、溶接時に発生する熱によって突出部の先端側が溶融し、突出部をタブ群とケース本体の間に介在させることができず、タブ群とケース本体を絶縁できなくなる虞がある。そこで、突出部の先端を蓋の内面から離間させる構成とし、溶接に関しては、溶接部の一部が蓋の外面のみに露出するように、溶込方向が蓋の板厚方向となるように溶接部を形成し、所謂縦打ちとした。このため、所謂、横打ちとなる溶接方法を行い、ケース本体の端面及び蓋の合わせ面に沿わせて溶接部を形成する場合と比べると、ケース本体において端面よりもタブ群に近い部分へと伝わる熱量を抑え、ケース本体から突出部に伝わる熱量を抑えることができる。したがって、溶接時、突出部が先端から溶融することを抑制でき、突出部によりタブ群とケース本体を絶縁できる。
【００１１】
また、蓄電装置について、前記タブ群は、前記積層方向の一端側から他端側に向けて屈曲されるとともに、前記タブの突出方向の先端側に、前記積層方向の他端側から一端側に向けて屈曲された先端側屈曲部を備え、前記先端側屈曲部と前記ケース本体の間に前記突出部が介在しているのが好ましい。
【００１２】
これによれば、タブ群に先端側屈曲部を設けない場合には、タブ群の先端が突出部に接触して突出部を突き破り、タブ群とケース本体が短絡する虞がある。しかし、先端側屈曲部を設けることで、タブ群の先端が突出部に接触することを抑制し、突出部が損傷することを抑制できる。
【００１３】
また、蓄電装置について、前記蓋は、前記合わせ面を有する天板部と、前記天板部から前記電極組立体に向けて突出し、前記ケース本体内に挿入された挿入部とを有していてもよい。
【００１４】
これによれば、溶接時の熱は天板部から挿入部に伝わり、ケース本体において端面よりもタブ群に近い部分へと伝わる熱量をさらに抑えることができる。
また、蓄電装置について、前記正極の電極と前記負極の電極はセパレータによって絶縁され、前記絶縁シートは、前記セパレータよりも融点の高い材料で形成されていてもよい。
【００１５】
これによれば、セパレータにおいて、溶接部に最も近い部位はタブ側端面に位置し、セパレータは溶接時の熱影響を受けにくい。これに対し、突出部を有する絶縁シートは、セパレータに比べて溶接部に近くなり、熱影響を受けやすい。同じ絶縁機能を有する部材であっても、融点の高い材料で絶縁シートを製造することで、突出部の溶融を抑制できる。
【００１６】
前記蓄電装置は二次電池である。
【発明の効果】
【００１７】
本発明によれば、タブ群とケース本体を絶縁できる。
【図面の簡単な説明】
【００１８】
【図１】実施形態の二次電池を示す分解斜視図。
【図２】（ａ）は二次電池を示す断面図、（ｂ）は溶接部付近を示す拡大断面図。
【図３】電極組立体の構成要素を示す分解斜視図。
【図４】二次電池内を示す断面図。
【発明を実施するための形態】
【００１９】
以下、蓄電装置を二次電池に具体化した一実施形態を図１〜図４にしたがって説明する。
図１又は図２（ａ）に示すように、蓄電装置としての二次電池１０は、直方体状のケース１１を備え、このケース１１内に電極組立体１２が収容されている。ケース１１は、有底四角筒状の金属製（例えば、アルミニウム製又はアルミニウム合金製）であり、開口部１３ｇを有するケース本体１３と、ケース本体１３の開口部１３ｇを塞ぐ蓋２３とを有する。
【００２０】
ケース本体１３は、長方形状の底壁１３ａと、底壁１３ａの一対の長辺から立設された第１壁部１３ｂ，１３ｃと、底壁１３ａの一対の短辺から立設された第２壁部１３ｄ，１３ｅとを有する。以下、ケース本体１３の底壁１３ａと蓋２３を最短距離で繋ぐ方向をケース１１の深さ方向Ｘとする。
【００２１】
蓋２３は、矩形平板状である。蓋２３は、ケース本体１３の開口部１３ｇを閉塞する天板部２３ａと、天板部２３ａに囲まれた内側に位置し、ケース本体１３内に挿入される矩形板状の挿入部２３ｂとを有する。
【００２２】
図２（ｂ）に示すように、天板部２３ａは、ケース本体１３の開口部１３ｇを囲む端面１３ｆに支持される面に合わせ面２３ｄを備え、合わせ面２３ｄは、挿入部２３ｂを取り囲む四角環状である。
【００２３】
ケース１１は、ケース本体１３の端面１３ｆと、天板部２３ａ（蓋２３）の合わせ面２３ｄとの合わせ部Ｆを溶接した溶接部２２を備える。ケース本体１３と蓋２３は、溶接部２２によって接合されている。蓋２３は、板厚方向Ｄの一方の面のうち挿入部２３ｂの端面に内面２３ｃを備え、板厚方向の他方の面に外面２３ｅを備える。板厚方向Ｄは、深さ方向Ｘと一致する。
【００２４】
溶接部２２は、天板部２３ａにおける外面２３ｅからケース本体１３の端面１３ｆに向けてレーザを照射し、天板部２３ａ及びケース本体１３を溶融・硬化させて形成されている。溶接部２２は、所謂縦打ちによって形成されている。よって、溶接部２２の溶込方向Ｙは、蓋２３の板厚方向Ｄと同じである。溶込方向Ｙは、ケース本体１３の端面１３ｆ及び天板部２３ａの合わせ面２３ｄに直交する。縦打ちで形成された溶接部２２であるため、ケース１１の外から視認できる溶接部２２は、蓋２３の外面２３ｅに露出した部分だけであり、ケース本体１３には視認できない。
【００２５】
ケース１１内には図示しない電解質（電解液）が収容されている。本実施形態の二次電池１０は、リチウムイオン二次電池である。
図３に示すように、電極組立体１２は、正極電極１４を収納した電極収納セパレータ２０と、負極電極２４とをそれぞれ複数有する。電極組立体１２は、複数の電極収納セパレータ２０と複数の負極電極２４とを交互に積層して層状とした構造である。正極電極１４と負極電極２４とが、電極収納セパレータ２０の単層セパレータ２１を間に挟んだ状態で交互に積層されている。本実施形態では、正極電極１４、単層セパレータ２１、及び負極電極２４が何れも長方形状である。電極収納セパレータ２０及び負極電極２４が積層された方向を電極の積層方向とする。
【００２６】
正極電極１４は、矩形シート状の正極金属箔（例えばアルミニウム箔）１５と、正極金属箔１５の両面に存在する正極活物質層１６と、を有する。正極電極１４は、一対の長辺に沿う縁部のうちの一方の縁部１４ａに沿って正極金属箔１５の露出した未塗工部１５ａを備える。未塗工部１５ａは、縁部１４ａの一部から突出した形状の正極のタブ１７を含む。未塗工部１５ａは、正極金属箔１５において正極活物質層１６が塗工されず、正極金属箔１５そのもので構成された部分である。
【００２７】
負極電極２４は、矩形シート状の負極金属箔（例えば銅箔）２５と、負極金属箔２５の両面に存在する負極活物質層２６と、を有する。負極電極２４は、一対の長辺のうちの一方の長辺に沿う縁部２４ａの一部から突出した形状の負極のタブ２７を有する。負極のタブ２７は、負極金属箔２５において負極活物質層２６が塗工されず、負極金属箔２５そのもので構成された部分である。
【００２８】
電極収納セパレータ２０は、絶縁性を有する樹脂製（本実施形態ではポリエチレン製）である。電極組立体１２は、図示しない保持テープによって積層状態が保持され、正極活物質層１６の全面が、単層セパレータ２１を介して負極活物質層２６に対峙した状態が維持されている。電極組立体１２において、複数の電極収納セパレータ２０と複数の負極電極２４とは、正極のタブ１７同士が積層方向に沿って列状に配置され、かつ負極のタブ２７同士が積層方向に沿って列状に配置される状態に積層される。
【００２９】
図１又は図２（ａ）に示すように、電極組立体１２は、蓋２３に対峙した端面にタブ側端面１２ａを備える。電極組立体１２は、タブ側端面１２ａに、正極のタブ群１７ａ及び負極のタブ群２７ａを備える。タブ側端面１２ａは、電極収納セパレータ２０の縁部及び負極電極２４の縁部２４ａが積層されて構成されている。正極のタブ群１７ａは、正極のタブ１７が積層されることによって構成され、負極のタブ群２７ａは負極のタブ２７が積層されることによって構成されている。
【００３０】
次に、タブ群１７ａ，２７ａについて説明する。なお、図４では、負極のタブ群２７ａを図示しているが、正極のタブ群１７ａは同一構造であるため、正極のタブ群１７ａは省略する。以下の説明では、負極を正極と読みかえれば、正極のタブ群１７ａの説明となる。
【００３１】
図４に示すように、タブ群２７ａにおいて、積層方向の一端に位置するタブ２７を第１タブ２７１と記載する。タブ群２７ａにおいて、積層方向の他端に位置するタブ２７を第２タブ２７２と記載する。
【００３２】
タブ群２７ａにおいては、第１タブ２７１に第２タブ２７２が接近するように、積層方向の一端側にタブ２７が寄せ集められている。これにより、積層段階で独立していた各タブ２７は、第１タブ２７１側に集約されている。
【００３３】
本実施形態において、各タブ２７は同じ大きさに形成されている。このため、積層方向において、第１タブ２７１からの離間距離が長いタブ２７ほど、タブ群２７ａとして集約されるタブ２７の長さが短い。このため、全てのタブ２７を導通させるための導通部Ｗは、第２タブ２７２における他のタブ２７との重合領域に合わせて設けられている。また、タブ群２７ａにおいて、導通部Ｗよりも先端側では、全てのタブ２７が自由端となっている。
【００３４】
タブ群１７ａ，２７ａは、タブ側端面１２ａ側に基端側屈曲部３７を備える。基端側屈曲部３７は、タブ群１７ａ，２７ａにおいて、積層方向一端側に寄せ集められた部分と、積層方向一端側から積層方向他端側に向けて曲げられた部分と、を含む。また、タブ群１７ａ，２７ａは、延出部３８を備える。延出部３８は、基端側屈曲部３７から電極組立体１２の積層方向に延びる部分である。延出部３８は、蓋２３の内面２３ｃに沿って、基端側屈曲部３７から積層方向に延びる形状である。そして、この延出部３８に上記導通部Ｗが設けられている。さらに、タブ群１７ａ，２７ａは、延出部３８より先端側に、積層方向他端側から一端側に向けて曲げられた先端側屈曲部３９を備える。先端側屈曲部３９は、タブ側端面１２ａからのタブ１７，２７の突出方向における延出部３８よりも先端側に位置している。
【００３５】
図１又は図２（ａ）に示すように、二次電池１０は正極導電部材３２を備える。正極導電部材３２は電極組立体１２と正極端子３０とを電気的に接続する。正極端子３０は、正極導電部材３２に接合されている。正極端子３０の一部は蓋２３を貫通してケース１１の外側に突出している。正極端子３０と蓋２３とは、図示しない絶縁部材によって絶縁されている。
【００３６】
正極導電部材３２は、正極端子３０が接合された面に第１接合面３２ａを備える。正極のタブ群１７ａと正極導電部材３２とは、タブ群１７ａに正極導電部材３２が当接した状態で溶接を行い、導通部Ｗを形成することで接合されるとともに、電気的に接続されている（導通している）。正極導電部材３２は、タブ群１７ａが接合された面であり、タブ側端面１２ａ側の面に第２接合面３２ｂを備える。
【００３７】
二次電池１０は負極導電部材４２を備える。負極導電部材４２は電極組立体１２と負極端子４０とを電気的に接続する。負極端子４０は、負極導電部材４２に接合されている。負極端子４０の一部は蓋２３を貫通してケース１１の外側に突出している。負極端子４０と蓋２３とは、図示しない絶縁部材によって絶縁されている。
【００３８】
負極導電部材４２は、負極端子４０が接合された面に第１接合面４２ａを備える。負極のタブ群２７ａと負極導電部材４２とは、タブ群２７ａに負極導電部材４２が当接した状態で溶接を行い、導通部Ｗを形成することで接合されるとともに、電気的に接続されている（導通している）。負極導電部材４２は、タブ群２７ａが接合された面であり、タブ側端面１２ａ側の面に第２接合面４２ｂを備える。
【００３９】
二次電池１０は、ケース本体１３と電極組立体１２を絶縁する絶縁シート４３を備える。絶縁シート４３は、１枚のフィルム材を折り曲げて四角箱状に形成されている。絶縁シート４３は、単独重合のポリプロピレンを材料とする。単独重合のポリプロピレンの融点は、電極収納セパレータ２０の材料であるポリエチレンの融点より高い。
【００４０】
絶縁シート４３は、長方形状の底部４３ａと、底部４３ａにおける長辺から蓋２３に向けて延びる第１側部４３ｂ，４３ｃと、底部４３ａにおける短辺から蓋２３に向けて延びる第２側部４３ｄ，４３ｅとを有する。絶縁シート４３は、ケース本体１３内において電極組立体１２に対向する部位に配置されている。
【００４１】
絶縁シート４３の底部４３ａは、ケース本体１３の底壁１３ａと電極組立体１２を絶縁し、絶縁シート４３の第１側部４３ｂ，４３ｃは、ケース本体１３の第１壁部１３ｂ，１３ｃと電極組立体１２を絶縁する。また、絶縁シート４３の第２側部４３ｄ，４３ｅは、ケース本体１３の第２壁部１３ｄ，１３ｅと電極組立体１２を絶縁する。
【００４２】
図２（ａ）又は図４に示すように、絶縁シート４３は、電極組立体１２のタブ側端面１２ａから蓋２３側に突出した部分に四角環状の突出部４４を備える。深さ方向Ｘにおいて、突出部４４の先端４３ｆは、正極導電部材３２の第２接合面３２ｂ及び負極導電部材４２の第２接合面４２ｂよりも蓋２３側に位置している。さらに、突出部４４の先端４３ｆは、正極導電部材３２の第１接合面３２ａ及び負極導電部材４２における第１接合面４２ａよりも電極組立体１２側に位置している。よって、突出部４４の先端４３ｆは、正極導電部材３２及び負極導電部材４２の厚み内に位置している。
【００４３】
絶縁シート４３の一方の第１側部４３ｂは、タブ群１７ａ，２７ａにおける基端側屈曲部３７と第１壁部１３ｂを絶縁し、他方の第１側部４３ｃは、タブ群１７ａ，２７ａにおける先端側屈曲部３９と第１壁部１３ｃを絶縁する。
【００４４】
突出部４４の先端４３ｆは、深さ方向Ｘにおいて溶接部２２よりもタブ側端面１２ａ側へ離れた位置にある。突出部４４の先端４３ｆは、ケース本体１３と蓋２３を溶接する際に発生する熱（以下、溶接熱とする）によって溶融しない位置にある。溶接熱は、レーザの出力や、照射時間、照射角度等によって変化する。突出部４４の先端４３ｆの位置は、レーザ溶接の条件に合わせて調節する。溶接熱の発生量が小さい程、突出部４４の先端４３ｆを、深さ方向に沿って蓋２３に近付けることができ、基端側屈曲部３７及び先端側屈曲部３９がケース本体１３に接触する虞を低減できる。
【００４５】
次に、二次電池１０の作用を記載する。
絶縁シート４３において、電極組立体１２のタブ側端面１２ａから蓋２３側に突出した突出部４４により、タブ群１７ａ，２７ａの基端側屈曲部３７及び先端側屈曲部３９とケース本体１３を絶縁できる。
【００４６】
上記実施形態によれば、以下のような効果を得ることができる。
（１）突出部４４の先端４３ｆを各導電部材３２，４２の第１接合面３２ａ，４２ａよりも蓋２３側に位置させ、タブ群１７ａ，２７ａをケース本体１３から絶縁するようにした。また、突出部４４の先端４３ｆを蓋２３の内面２３ｃから離間させるとともに、溶接部２２を縦打ちとした。このため、溶接部２２がケース本体１３の端面１３ｆ及び蓋２３の合わせ面２３ｄに沿って形成された横打ちの場合と比べると、ケース本体１３において端面１３ｆよりもタブ群１７ａ，２７ａに近い部分へと伝わる熱量を抑え、ケース本体１３から突出部４４に伝わる熱量を抑えることができる。したがって、溶接時、突出部４４が先端４３ｆから溶融することを抑制でき、タブ側端面１２ａから突出部４４を突出させた構成であっても、タブ群１７ａ，２７ａとケース本体１３を絶縁できる。
【００４７】
（２）絶縁シート４３の突出部４４を、タブ側端面１２ａから蓋２３側に突出させることで、タブ群１７ａ，２７ａとケース本体１３を絶縁できる。よって、タブ群１７ａ，２７ａとケース本体１３の絶縁を絶縁シート４３以外の部品で行う場合と比べると、簡単な構成でタブ群１７ａ，２７ａとケース本体１３を絶縁できる。
【００４８】
（３）タブ群１７ａ，２７ａは先端側屈曲部３９を備える。このため、タブ群１７ａ，２７ａの先端が突出部４４に接触することを抑制して、突出部４４が損傷することを抑制できる。
【００４９】
（４）蓋２３は、天板部２３ａと挿入部２３ｂを備え、挿入部２３ｂは天板部２３ａよりも厚みが厚い部分である。そして、ケース本体１３と蓋２３を溶接する際、溶接熱は、天板部２３ａから挿入部２３ｂに伝わり、ケース本体１３における端面１３ｆよりもタブ群１７ａ，２７ａに近い部分へ伝わる熱量を抑えることができる。よって、突出部４４をより一層溶融しにくくできる。
【００５０】
（５）絶縁シート４３を単独重合のポリプロピレン製とし、電極収納セパレータ２０をポリエチレン製とした。電極収納セパレータ２０は溶接時の熱影響を受け難い一方で、突出部４４の先端４３ｆは溶接時の熱影響を受けやすい。このため、同じ絶縁性を有するポリプロピレンとポリエチレンであっても、融点の高い方のポリプロピレンで絶縁シート４３を製造することで、突出部４４の溶融を抑制できる。
【００５１】
なお、上記実施形態は以下のように変更してもよい。
○  絶縁シート４３の材料はポリエチレンであってもよいし、その他の絶縁性を有する材料であってもよい。
【００５２】
○  セパレータは、袋状の電極収納セパレータ２０としたが、袋状でないシート状の単層セパレータ２１であってもよい。
○  蓋２３は、挿入部２３ｂを備えず、天板部２３ａだけの構成であってもよい。
【００５３】
○  タブ群１７ａ，２７ａは、先端側屈曲部３９を備えなくてもよい。また、導通部Ｗよりも先端側は屈曲していなくてもよい。
○  突出部４４の先端４３ｆは、正極導電部材３２の第２接合面３２ｂ及び負極導電部材４２の第２接合面４２ｂよりも蓋２３側で、かつ正極導電部材３２の第１接合面３２ａ及び負極導電部材４２の第１接合面４２ａよりも蓋２３側に位置していてもよい。
【００５４】
○  負極電極２４は、負極金属箔２５の両面に負極活物質層２６を有するとしたが、負極金属箔２５の片面のみに負極活物質層２６を有していてもよい。同様に、正極電極１４は、正極金属箔１５の両面に正極活物質層１６を有するとしたが、正極金属箔１５の片面のみに正極活物質層１６を有していてもよい。
【００５５】
○  蓄電装置は、二次電池１０でなく、電気二重層キャパシタ等の他の蓄電装置に適用してもよい。
○  二次電池１０は、リチウムイオン二次電池であったが、これに限らず、他の二次電池であってもよい。要するに、正極活物質と負極活物質との間をイオンが移動するとともに電荷の授受を行うものであればよい。
【符号の説明】
【００５６】
Ｆ…合わせ部、Ｙ…溶込方向、１０…蓄電装置としての二次電池、１１…ケース、２３…蓋、１２…電極組立体、１２ａ…タブ側端面、１３…ケース本体、１３ｆ…端面、１３ｇ…開口部、１４…電極としての正極電極、１７，２７…タブ、１７ａ，２７ａ…タブ群、２０…セパレータとしての電極収納セパレータ、２２…溶接部、２３…蓋、２３ａ…天板部、２３ｂ…挿入部、２３ｃ…内面、２３ｄ…合わせ面、２３ｅ…外面、２４…電極としての負極電極、３２…導電部材としての正極導電部材、３２ｂ…第２接合面、３９…先端側屈曲部、４２…導電部材としての負極導電部材、４２ｂ…第２接合面、４３…絶縁シート、４３ｆ…先端、４４…突出部。
【図１】
2018200840.tif 000003
【図２】
2018200840.tif 000004
【図３】
2018200840.tif 000005
【図４】
2018200840.tif 000006